(57)【要約】【課題】  本発明は、画面に映り込む外光の影響を抑制するために、ユーザが画面に映り込む外光の分布を容易に把握することが可能な表示装置を提供することを目的とする。【解決手段】  本発明の表示装置は、光を照射するバックライト１０と、バックライト１０から照射された光を透過して画面に画像を表示する液晶パネル２０と、バックライト１０に配置され、液晶パネル２０を透過した外光の輝度および色の少なくとも一方を検出する光センサ３０と、光センサ３０の検出結果に基づいて、外光の分布を示す分布画像を生成して出力する分布画像生成手段１０２と、を備えることを特徴とする。【選択図】  図２
2018151481.tif 000002
【特許請求の範囲】
【請求項１】
光を照射する発光手段と、
前記発光手段から照射された光を透過して画面に画像を表示する表示手段と、
前記発光手段に配置され、前記表示手段を透過した外光の輝度および色の少なくとも一方を検出する検出手段と、
前記検出手段の検出結果に基づいて、前記外光の輝度および色の少なくとも一方の分布を示す分布画像を生成して出力する生成手段と、
を備えることを特徴とする表示装置。
【請求項２】
前記検出手段は、
前記表示手段の光の透過率が所定の透過率に制御され、かつ、前記発光手段が光を照射していない状態で、前記表示手段を透過した外光の分布を検出することを特徴とする請求項１に記載の表示装置。
【請求項３】
前記検出手段は、複数の光センサを備えることを特徴とする請求項１または請求項２に記載の表示装置。
【請求項４】
前記生成手段が生成した前記分布画像を、前記表示手段に表示させるように前記表示手段を制御する表示制御手段をさらに備えることを特徴とする請求項１乃至請求項３のいずれか１項に記載の表示装置。
【請求項５】
前記生成手段が生成した前記分布画像を、前記表示装置と異なる他の表示装置に出力する出力手段をさらに備えることを特徴とする請求項１乃至請求項４のいずれか１項に記載の表示装置。
【請求項６】
前記分布画像は、前記表示手段の前記画面における外光の輝度および色の少なくとも一方の分布に対応するグラデーション画像であることを特徴とする請求項１乃至請求項５のいずれか１項に記載の表示装置。
【請求項７】
前記分布画像は、前記表示手段の前記画面における外光のうち、赤色の光の輝度の分布を示す赤色分布画像と、前記表示手段の前記画面における外光のうち、緑色の光の輝度の分布を示す緑色分布画像と、前記表示手段の前記画面における外光のうち、青色の光の輝度の分布を示す青色分布画像と、であることを特徴とする請求項１乃至請求項６のいずれか１項に記載の表示装置。
【請求項８】
前記検出手段は、発光手段の温度を検出する複数の温度センサを備え、
前記生成手段は、前記発光手段の温度分布を示す画像を生成することを特徴とする請求項１乃至請求項７のいずれか１項に記載の表示装置。
【請求項９】
光を照射する発光手段と、前記発光手段から照射された光を透過して画面に画像を表示する表示手段と、前記発光手段に配置され、前記表示手段を透過した外光の輝度および色の少なくとも一方を検出する検出手段と、を備える表示装置の制御方法であって、
前記検出手段を介して、前記外光の輝度および色の少なくとも一方を検出する検出工程と、前記外光の輝度および色の少なくとも一方の分布を示す分布画像を生成して出力する生成工程と、
を備えることを特徴とする表示装置の制御方法。
【請求項１０】
前記検出工程は、前記表示手段の光の透過率が所定の透過率に制御され、かつ、前記発光手段が光を照射していない状態で、前記表示手段を透過した外光の分布を検出することを特徴とする請求項９に記載の表示装置の制御方法。
【請求項１１】
前記検出手段は、複数の光センサを備えることを特徴とする請求項９または請求項１０に記載の表示装置の制御方法。
【請求項１２】
前記生成工程で生成された前記分布画像を、前記表示手段に表示させるように前記表示手段を制御する表示制御工程をさらに備えることを特徴とする請求項９乃至請求項１１のいずれか１項に記載の表示装置の制御方法。
【請求項１３】
前記生成工程で生成された前記分布画像を、前記表示装置と異なる他の表示装置に出力する出力工程をさらに備えることを特徴とする請求項９乃至請求項１２のいずれか１項に記載の表示装置の制御方法。
【請求項１４】
前記分布画像は、前記表示手段の前記画面における外光の輝度および色の少なくとも一方の分布に対応するグラデーション画像であることを特徴とする請求項９乃至請求項１３のいずれか１項に記載の表示装置の制御方法。
【請求項１５】
前記分布画像は、前記表示手段の前記画面における外光のうち、赤色の光の輝度の分布を示す赤色分布画像と、前記表示手段の前記画面における外光のうち、緑色の光の輝度の分布を示す緑色分布画像と、前記表示手段の前記画面における外光のうち、青色の光の輝度の分布を示す青色分布画像と、であることを特徴とする請求項９乃至請求項１４のいずれか１項に記載の表示装置の制御方法。
【請求項１６】
前記検出手段は、発光手段の温度を検出する複数の温度センサを備え、
前記生成工程は、前記発光手段の温度分布を示す画像を生成することを特徴とする請求項９乃至請求項１５のいずれか１項に記載の表示装置の制御方法。
【発明の詳細な説明】
【技術分野】
【０００１】
本発明は、表示装置およびその制御方法に関する。
【背景技術】
【０００２】
表示装置に表示された画像をユーザが視聴する際、表示装置の画面に照射した外光の映り込みにより、ユーザが表示装置の画面に表示された色とは異なる色を知覚してしまうことがある。特に、屋外撮影の現場で使用するモニター用の表示装置では、外光の明るさが強く、映り込みの影響を受けやすい。
【０００３】
特許文献１に記載の映像信号処理装置は、室内の照明や外光の状況等、周囲の視環境に応じて、映像信号を補正することが開示されている。
【先行技術文献】
【特許文献】
【０００４】
【特許文献１】特開２０１０−２５０１４０号公報
【発明の概要】
【発明が解決しようとする課題】
【０００５】
特許文献１に記載の映像信号処理装置では、視環境の影響を補正するために表示装置の画像の表示のための階調を使用することから、ユーザが本来視聴したい画像の表現性が低下することがある。
【０００６】
上述の課題を鑑みて、本発明は、画面に映り込む外光の影響を抑制するために、ユーザが画面に映り込む外光の分布を容易に把握することが可能な表示装置を提供することを目的とする。
【課題を解決するための手段】
【０００７】
上述した課題を解決するために、本発明の表示装置は、光を照射する発光手段と、前記発光手段から照射された光を透過して画面に画像を表示する表示手段と、前記発光手段に配置され、前記表示手段を透過した外光の輝度を検出する検出手段と、前記検出手段の検出結果に基づいて、前記外光の分布を示す画像を生成して出力する生成手段と、を備えることを特徴とする。
【発明の効果】
【０００８】
本発明の表示装置によれば、バックライトに設けられた光センサを用いて、取得した画面に入射する外光の分布を示す画像を生成する。したがって、画面に映り込む外光の影響を抑制するために、ユーザが画面に映り込む外光の分布を容易に把握することが可能となる。
【図面の簡単な説明】
【０００９】
【図１】表示装置の構成の一例を示す模式図である。
【図２】制御回路基板の機能ブロックを示すブロック図である。
【図３】外光の分布の検出フローを示すフローチャートである。
【図４】緑色光源から発せられる光の輝度を検出する場合の動作を示す模式図である。
【図５】外光の輝度を検出する場合の動作を示す模式図である。
【図６】分布画像生成部が生成した分布画像の一例を示す模式図である。
【図７】分布画像と表示画像とを表示した場合の画面を示す第１の模式図である。
【図８】分布画像と表示画像とを表示した場合の画面を示す第２の模式図である。
【図９】外光の青色成分の輝度を取得する場合の動作を示す模式図である。
【図１０】相対強度を示したグラフである。
【図１１】分布画像と表示画像とを表示した場合の画面を示す第３の模式図である。
【図１２】外光の色温度と、外光の光源の種類との関係を示すテーブルを示す表である。
【図１３】外光の赤色成分、緑色成分、青色成分の分布を示す分布画像を示す模式図である。
【図１４】光源輝度値と外光輝度値との比率の分布を示す分布画像を示す模式図である。
【発明を実施するための形態】
【００１０】
［実施例１］
以下、本発明の実施例１に係る映像表示装置について説明する。なお、本実施例では、カラーフィルタを有する液晶パネルと、発光ダイオードを用いたバックライト装置とを有するカラー映像表示装置の例を説明するが、同等の機能を有する別の部材を用いた構成であってもよい。
【００１１】
［表示装置の構成］
図１は、本実施例に係る表示装置１の構成の一例を示す模式図である。表示装置１は、バックライト１０、液晶パネル２０、光センサ３０、制御回路基板１００を有する。以降、バックライト１０から液晶パネル２０に向かう方向を前面側、液晶パネル２０からバックライト１０に向かう方向を背面側とする。
【００１２】
バックライト１０は、液晶パネル２０に光を照射するための発光装置（照明装置）である。バックライト１０は、光源基板１１、拡散板１２、集光シート１３、反射型偏光フィルム１４などを有する。また、バックライト１０は、液晶パネル２０の背面側に光源を備える直下型のバックライト装置である。
【００１３】
光源基板１１は、光を発する複数の光源を備える基板である。例えば、光源は、光源は、赤色の光を発する赤色光源、緑色の光を発する緑色光源、および青色の光を発する青色光源から構成されるクラスタ光源であるとする。なお、光源は、白色光を発する発光ダイオード（ＬＥＤ）であってもよい。光源は、冷陰極管、有機ＥＬ素子などを用いることができる。
【００１４】
拡散板１２、集光シート１３、反射型偏光フィルム１４は、光源基板１１の前面側に、光源基板１１と平行に配置され、光源基板１１からの光に光学的な変化を与える光学部材である。例えば、これらの光学部材は、光源基板１１から照射された光を拡散・反射させる。これにより、バックライト１０を面光源として機能させる。なお、光学部材は、上述した構成以外の部材が含まれていてもよいし、上述した構成の少なくともいずれか１つが含まれていなくてもよい。
【００１５】
液晶パネル２０は、バックライト１０から照射された光を、透過して画面に画像を表示する透過型の表示パネルである。液晶パネル２０は、赤色の光を透過するＲサブ画素、緑色の光を透過するＧサブ画素、青色の光を透過するＢサブ画素からなる画素を複数有し、サブ画素ごとに透過率を制御可能であるとする。液晶パネル２０は、サブ画素ごとに液晶シャッター２１と、カラーフィルタ２２とを備えるとする。液晶シャッター２１は、駆動電圧に応じて透過率を制御可能な透過素子である。液晶シャッター２１ｒ、２１ｇ、および２１ｂは、それぞれ赤サブ画素、緑サブ画素、および青サブ画素に対応する液晶シャッターである。カラーフィルタ２２ｒ、２２ｇ、および２２ｂは、それぞれ赤サブ画素、緑サブ画素、および青サブ画素に対応するカラーフィルタである。
【００１６】
光センサ３０は、バックライト１０の光源基板１１上に配置され、入射した光の輝度を検出可能な検出装置である。光センサ３０は、光源基板１１上に、マトリクス状に複数配置される。また。光センサ３０は、画面全体に対応するように、配置されるとする。光センサ３０は、バックライト１０の光源から発せられた光の輝度を検出することが可能である。また、光センサ３０は、液晶パネル２０を透過して入射した外光の輝度を検出することが可能である。光センサ３０は、検出結果をセンサ値として出力する。
【００１７】
バックライト１０は、複数の発光領域を有し、各発光領域に少なくとも１つの光源と、少なくとも１つの光センサ３０を備えるとする。なお、複数の発光領域に対して１つの光センサ３０が設けられてもよい。
【００１８】
制御回路基板１００は、表示装置１の動作を制御するための電子回路を備える基板である。制御回路基板１００は、電子回路、および演算処理装置（プロセッサ）を備える。また、制御回路基板１００は、表示装置１が駆動するための電源を供給するための電源制御基板を備えるものであってもよい。
【００１９】
図２は、表示装置１の機能ブロックを示すブロック図である。制御回路基板は、センサ値取得部１０１、分布画像生成部１０２、表示制御部１０３、出力部１０４、モード選択部１０５、制御部１０６、およびメモリ１０７を備える。
【００２０】
センサ値取得部１０１は、光センサ３０から輝度の検出値を取得する取得処理を実行する。分布画像生成部１０２は、センサ値取得部１０１が取得した外光の輝度に基づいて、画面に入射する外光の輝度もしくは色の少なくとも一方の分布を示す分布画像を生成する処理を実行する。表示制御部１０３は、入力された画像に基づく画像が、液晶パネル２０の画面に表示されるように、バックライト１０と液晶パネル２０とを制御する制御処理を実行する。
【００２１】
出力部１０４は、分布画像を外部の表示装置に出力する処理を実行する。モード選択部１０５は、ユーザが画面に入射する外光の輝度もしくは色のうち少なくとも一方の分布を示す分布画像を表示する分布画像表示モードを選択するか否かを示す指示に応じて、動作モード情報を出力する処理を実行する。また、モード選択部１０５は、光センサ３０が検出したバックライト１０の光源の輝度を用いてバックライト１０の光源の輝度を補正する制御（フィードバック制御）を実行するバックライト監視モードを選択することも可能である。
【００２２】
制御部１０６は、センサ値取得部１０１、分布画像生成部１０２、表示制御部１０３、出力部１０４、およびモード選択部１０５の動作を制御するための制御回路である。制御部１０６は、メモリ１０７に記憶されたプログラムを読み出して実行することにより、各機能ブロックの動作を制御するプロセッサ（ＣＰＵ）であるとする。
【００２３】
メモリ１０７は、制御部１０６が処理に用いるプログラムおよびパラメータを記憶する記憶媒体である。メモリ１０７は、例えば、ハードディスク等の不揮発性の記憶媒体であるとする。メモリ１０７は、分布画像と合わせて表示するための表示画像を記憶していてもよい。
【００２４】
バックライト監視モードは、センサ値取得部１０１が取得した各発光領域の光源の輝度と、メモリ１０７に記憶された各発光領域の輝度の目標値とに応じて、表示制御部１０３が各発光領域の光源の輝度を補正する動作モードである。
【００２５】
［検出方法とフロー］
図３は、外光の分布の検出フローを示すフローチャートである。以降では、表示装置１が、画面に入射する外光の輝度の分布を示す分布画像を生成して、表示する場合を例に説明する。
【００２６】
Ｓ３０１で、制御部１０６は、モード選択部１０５から動作モードを示す情報を取得し、動作モードを判定する。例えば、Ｓ３０１では、動作モードがバックライト監視モードか否かを判定するとする。
【００２７】
Ｓ３０１で、動作モードがバックライト監視モードであると判定された場合、Ｓ３０２で、センサ値取得部１０１は、各発光領域の光源の輝度に対応する輝度値を、光センサ３０から取得する処理を実行する。センサ値取得部１０１は、表示制御部１０３に取得した輝度値を出力する。
【００２８】
各発光領域の光源の輝度に対応する輝度値を、光センサ３０から取得する処理について、図４を用いて説明する。図４は、緑色光源から発せられる光の輝度を検出する場合の動作を示す模式図である。表示制御部１０３は、緑色光源を点灯させ、対応するＧサブ画素の液晶シャッター２１ｇの透過率を所定の透過率に制御する。この時、光学部材で拡散され、光源基板１１側に反射された光の一部は、光センサ３０に入射する。光センサ３０は、緑色光源から発せられた光の一部を検出し、緑色光源から発せられた光の輝度に対応する輝度値を出力する。センサ値取得部１０１は、取得した輝度値を表示制御部１０３に出力する。なお、輝度値の取得処理は、赤色光源、および青色光源に対しても同様に実行される。
【００２９】
Ｓ３０３で、表示制御部１０３は、メモリ１０７に記憶された各光源の輝度値の目標値と、光センサ３０から取得した輝度値とに基づいて、各光源の輝度を補正するフィードバック制御を実行する。上述の処理を実行することにより、バックライト１０の光源の輝度が経時変化する場合にも、バックライト１０から照射される光の輝度、および輝度の分布を最適に制御することができる。
【００３０】
Ｓ３０１で、動作モードがバックライト監視モードでないと判定された場合、Ｓ３０４で、センサ値取得部１０１は、液晶パネル２０の画面に入射する外光の輝度に対応する輝度値を、光センサ３０から取得する処理を実行する。センサ値取得部１０１は、分布画像生成部１０２に取得した輝度値を出力する。
【００３１】
図５は、外光の輝度を検出する場合の動作を示す模式図である。表示制御部１０３は、各光源を点灯させないように制御し、かつ、各色に対応する液晶シャッターの透過率が同程度になるように制御する。
【００３２】
この時、液晶パネル２０の外側から画面に入射した外光は、液晶シャッター２１と、カラーフィルタ２２とを透過し、さらに光学部材を通過して、光センサ３０に入射する。光センサ３０は、外光の輝度に対応する輝度値を出力する。センサ値取得部１０１は、取得した輝度値を分布画像生成部１０２に出力する。
【００３３】
Ｓ３０５で、分布画像生成部１０２は、光センサ３０から取得した輝度値に基づいて、外光の分布を示す分布画像を生成する。図６は、分布画像生成部１０２が生成した分布画像の一例を示す模式図である。例えば、ユーザが前面から液晶パネル２０の画面を見た場合の左側に外光が強く入射しているとする。この場合、分布画像の左側の領域が強調して表示される。
【００３４】
分布画像は、各光センサ３０から取得した輝度値を用いて、各光センサ３０間の輝度値を補完したグラデーション画像であるとする。なお、分布画像は、グラデーション画像に限らない。分布画像は、発光領域に対応する画面の領域ごとに取得した外光の輝度値を、グラデーション以外の表示方法で示すものであってもよい。
【００３５】
Ｓ３０６で、表示制御部１０３は、分布画像と、予め入力された表示画像を合成した画像が表示されるように、液晶パネル２０とバックライト１０とを制御する。図７は、分布画像と表示画像とを表示した場合の画面を示す模式図である。表示制御部１０３は、分布画像を表示するためのウィンドウが表示画像を表示するためのウィンドウに重畳して表示されるように制御するとする。なお、表示制御部１０３は、分布画像を表示するためのウィンドウと表示画像を表示するためのウィンドウとを並べて表示するようにレイアウトを制御してもよい。
【００３６】
なお、ウィンドウのレイアウトは、ユーザの好み、使いやすさにより、任意に変更することができる。例えば、図８のように、ディスプレイのサイズと映像信号の種類の関係で表示に使わない帯状の部分がある場合は、その部分に日付、時間、温度湿度の表示を行ってもよい。
【００３７】
なお、制御部１０６は、分布画像を、出力部１０４を介して外部の表示装置に出力するものであってもよい。外部の表示装置が、入力された分布画像に基づいて画像を表示することによって、ユーザは、表示装置１で視聴中の表示画像の表示状態に影響を与えずに、外光の分布を確認することが容易となる。通信は無線でも有線でもよい。例えば、外部の表示装置は、ディスプレイ本体を操作するリモコン、タブレット、スマートフォン、携帯電話など、表示部を有する外部機器であるとする。これらの外部機器にあらかじめ、分布画像を表示するためのアプリケーションをインストールし、取得した分布画像に基づいて画像を表示することができる。
【００３８】
上述の処理によれば、画面に入射する外光の分布を示す画像を表示することで、ユーザは、画面における外光の分布を容易に把握することが可能となる。これにより、ユーザは、画像に基づいて、表示装置の向きや位置を変更して、外光の影響を抑制することが可能となる。したがって、外光の映り込みによる補正のために用いる階調が低減できるので、より高精細に画像を表示することが可能となる。また、外光の映り込みによる補正のためにバックライトの輝度が自動補正されないため、余計な電力を使わずに好みのディスプレイ状態に調整することができる。特に、屋外使用時はバッテリーを長持ちさせるために有効である。
【００３９】
なお、バックライト監視モードで光センサ３０に入射する光の輝度は、分布画像表示モードで光センサ３０に入射する光の輝度よりも高くなることが多い。したがって、バックライト監視モードと分布画像表示モードとで、光センサ３０のゲインを変えるように制御してもよい。具体的には、バックライト監視モードにおける光センサ３０のゲインは、分布画像表示モードにおける光センサ３０のゲインよりも低くする。
【００４０】
なお、光源の点灯をＰＷＭで制御している場合に、ＰＷＭ制御の消灯のタイミングで外光の輝度の検出することも可能である。つまり、消灯モードに得られる環境光ノイズを利用して、外光の輝度を検出することもできる。
【００４１】
なお、ディスプレイ状態の二次元分布を光センサで検出する場合は、別途ディスプレイ前面の枠部分などに環境光センサを１個また複数個設け、環境光の種類の判別や利得値を算出する場合に利用してもよい。
【００４２】
なお、バックライト１０の各発光領域における温度を測定する温度センサをさらに備え、分布画像生成部１０２は、外光の輝度分布の他に、バックライト１０の温度分布を示す画像を生成するものであってもよい。
【００４３】
［実施例２］
実施例１の表示装置は、画面に入射する外光の輝度分布を示す分布画像を表示した。実施例２の表示装置は、画面に入射する外光の色温度を検出することにより、ユーザが容易に外光による表示色への影響を確認することが可能となる。
【００４４】
実施例２の表示装置の装置構成は、実施例１と同様であるので説明を省略する。実施例２の表示装置は、図３のフローチャートにおける外光の分布の検出処理（Ｓ３０４）が実施例１と異なる。具体的には、センサ値取得部１０１は、カラーフィルタの色成分に対応する外光の色成分の輝度を取得し、外光の色温度を取得する。
【００４５】
図９は、外光の青色成分の輝度を取得する場合の動作を示す模式図である。表示制御部１０３は、各光源の発光を停止し、かつ青色の液晶シャッター２１ｂを開放する。これによって、外光の青色成分の光は光センサ３０に入射する。このときの輝度値をセンサ値取得部１０１が取得することで、外光の青色成分の輝度値Ｌｂを取得することができる。以降、同様に外光の赤色成分の輝度値Ｌｒ、外光の緑色成分の輝度値Ｌｇも順次取得することによって各単色の輝度値を取得することができる。前記各色成分の輝度値から、外光の輝度値に加え、外光の色温度を取得することが可能となる。
【００４６】
以下、外光の色温度を取得する方法について説明する。各輝度値の最大値であるＭＡＸ（Ｌｒ，Ｌｇ，Ｌｂ）を基準として、各色の相対強度Ｉｒ、Ｉｇ，Ｉｂは、式１で求められる。
Ｉｒ＝Ｌｒ／ＭＡＸ（Ｌｒ，Ｌｇ，Ｌｂ）
Ｉｇ＝Ｌｇ／ＭＡＸ（Ｌｒ，Ｌｇ，Ｌｂ）          （式１）
Ｉｂ＝Ｌｂ／ＭＡＸ（Ｌｒ，Ｌｇ，Ｌｂ）
【００４７】
各カラーフィルタが透過する主な波長λｒ、λｇ、λｂとすると、合成波長λｔは、下記の式２で求められる。
λｔ＝λｒ×Ｉｒ＋λｇ×Ｉｇ＋λｂ×Ｉｂ        （式２）
【００４８】
図１０は、横軸に波長、縦軸に相対強度を示したグラフである。このグラフよりλｔにおける相対強度Ｉ（λｔ）を算出する。色温度Ｔは、Ｉ（λｔ）、πを円周率、ｈをプランク定数、ｃを光速、ｋをボルツマン定数とすると、式３を展開することで求められる。
Ｉ（λｔ）＝８πｈｃ／｛λｔ５×（ｅｘｐ（ｈｃ／（ｋＴλｔ）））−１｝（式３）
【００４９】
センサ値取得部１０１は、式２から求められた各光センサ３０の位置における色温度Ｔを、分布画像生成部１０２に出力する。
【００５０】
Ｓ３０５で、分布画像生成部１０２は、外光の輝度分布と、色温度分布とを示す分布画像を生成する。
【００５１】
なお、表示制御部１０３は、図１１のように、外光の輝度分布を示す画像と、色度分布を示す画像とをそれぞれ個別に表示してもよい。
【００５２】
なお、取得した色温度Ｔに基づいて、外光の種類を判定することが可能である。例えば、メモリ１０７に記憶された、外光の色温度と、外光の光源の種類との関係を示すテーブルから、画面に入射された外光の光源を判定することが可能となる。図１２は、外光の色温度と、外光の光源の種類との関係を示すテーブルを示す表である。表示制御部１０３は、色温度Ｔに基づいて、判定された外光の光源の種類を分布画像と合わせて表示するように制御するものであってもよい。また、分布画像生成部１０２は、判定された外光の光源ごとに、外光の輝度分布を示す分布画像を生成するものであってもよい。これにより、ユーザは、画面に入射する外光の光源ごとに、画像表示への影響度合いを容易に確認することが可能となる。
【００５３】
本実施例に記載の表示装置によれば、外光が画面に映り込むことによる色ムラの程度をユーザが容易に確認することが可能となる。したがって、ユーザは、外光の映り込みに対して、視認性の向上、画質劣化を低減の調整を取りやすくなる。
【００５４】
なお、分布画像生成部１０２は、取得した外光の赤色成分、緑色成分、および青色成分を用いて、色ごとに分布画像を生成するものであってもよい。
【００５５】
図１３は、赤色分布画像、緑色分布画像、および青色分布画像が表示された画面を示す模式図である。例えば、分布画像生成部１０２は、外光の赤色成分の輝度分布を示す赤色グラデーション画像を生成するとする。また、同様にして、分布画像生成部１０２は、外光の緑色成分の輝度分布を示す緑色グラデーション画像と、外光の青色成分の輝度分布を示す青色グラデーション画像と、を生成するとする。
【００５６】
［実施例３］
画面の領域に入射する外光に対して、当該領域にバックライト１０から照射する光の輝度が低い場合、当該領域に表示される画像は、外光の影響を受けやすい。実施例３の表示装置は、外光が画面に映り込む輝度と、バックライト１０の輝度との比率を示す分布画像を表示することにより、外光の映り込みによる画像表示への影響をより具体的に確認することが可能となる。
【００５７】
実施例３の表示装置の構成は、実施例１および実施例２と同様であるので説明を省略する。
【００５８】
実施例３において、モード選択部１０５は、バックライト監視モードと、分布画像生成モードとを少なくとも１回ずつ選択する。これにより、センサ値取得部１０１は、各発光領域の光源から発せられる光の輝度に対応する輝度値（光源輝度値）と、各発光領域に対応する画面の領域に照射する外光の輝度に対応する輝度値（外光輝度値）とを取得することが可能となる。
【００５９】
さらに、分布画像生成部１０２は、各発光領域において光源輝度値と外光輝度値との比率に基づいて、分布画像を生成する。
【００６０】
図１４は、実施例３の表示装置が取得した外光の照射状態を表示する例を示す模式図である。図１４（ａ）は、光源基板１１に配置される光センサ３０の配置を示す模式図である。光センサ３０は、発光領域ごとに設けられるとする。センサ値取得部１０１は、各光センサ３０から、各発光領域の光源輝度値と、各発光領域に入射する外光輝度値とを取得する。例えば、バックライト１０の各発光領域の光源の輝度は、いずれも同程度であるとする。
【００６１】
図１４（ｂ）は、入射する外光の輝度が低い時の分布画像を示す模式図である。図１３（ｂ）に示すように、入射する外光の輝度が低い時、光源輝度値が外光輝度値よりも十分に大きいことから、均一な分布となる。
【００６２】
図１４（ｃ）は、入射する外光の輝度が高い領域を有する場合の分布画像を示す模式図である。図１４（ｃ）に示すように、入射する外光の輝度が高い領域と、そうでない領域とで、光源輝度値と外光輝度値との比率が変化し、不均一な分布となる。
【００６３】
表示制御部１０３は、生成した分布画像を画面に表示するように、バックライト１０と液晶パネル２０とを制御する。
【００６４】
上述の制御により、ユーザは、画面に入射する外光による表示画像への影響を容易に確認することが可能となる。
【００６５】
なお、分布画像生成部１０２は、光源輝度値と外光輝度値との差に基づいて、分布画像を生成してもよい。これにより、外光のみを分離して、表示することができる。
【００６６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６７】
１  表示装置
１０  バックライト
２０  液晶パネル
３０  光センサ
１００  制御回路基板
１０２  分布画像生成部
【図１】
2018151481.tif 000003
【図２】
2018151481.tif 000004
【図３】
2018151481.tif 000005
【図４】
2018151481.tif 000006
【図５】
2018151481.tif 000007
【図６】
2018151481.tif 000008
【図７】
2018151481.tif 000009
【図８】
2018151481.tif 000010
【図９】
2018151481.tif 000011
【図１０】
2018151481.tif 000012
【図１１】
2018151481.tif 000013
【図１２】
2018151481.tif 000014
【図１３】
2018151481.tif 000015
【図１４】
2018151481.tif 000016